(57)【要約】【課題】光コネクタの光アダプタからの誤脱を確実に防止できる誤抜防止治具を提供する。【解決手段】光アダプタ13に挿抜自在に結合されて相互に接続された第１光コネクタ11および第２光コネクタ15の光アダプタ13からの誤抜を防止する光コネクタの誤抜防止治具1であって、光アダプタ13を経て第１光コネクタ11および第２光コネクタ15に延在する橋部2と、橋部2の一端部に設けられ、第１光コネクタ11に係合して第１光コネクタ11の光アダプタ13からの誤抜を防止する切り欠き3aを有する第１脚部3と、橋部2の他端部に設けられ、第２光コネクタ15に係合して第２光コネクタ15の光アダプタ13からの誤抜を防止する切り欠き4aを有する第２脚部4と、を備える。【選択図】図２
0003157159.tif 000002
【実用新案登録請求の範囲】
【請求項１】
光アダプタに挿抜自在に結合されて相互に接続された第１光コネクタおよび第２光コネクタの前記光アダプタからの誤抜を防止する光コネクタの誤抜防止治具であって、
前記光アダプタを経て前記第１光コネクタおよび前記第２光コネクタに延在する橋部と、
該橋部の一端部に設けられ、前記第１光コネクタに係合して該第１光コネクタの前記光アダプタからの誤抜を防止する切り欠きを有する第１脚部と、
前記橋部の他端部に設けられ、前記第２光コネクタに係合して該第２光コネクタの前記光アダプタからの誤抜を防止する切り欠きを有する第２脚部と、
を備えることを特徴とする光コネクタの誤抜防止治具。
【請求項２】
前記橋部の両側に配設された壁部を備えることを特徴とする請求項１に記載の光コネクタの誤抜防止治具。
【請求項３】
前記橋部、前記第１脚部、前記第２脚部、および、前記壁部は、プラスチックの一体成型により形成されていることを特徴とする請求項２に記載の光コネクタの誤抜防止治具。
【考案の詳細な説明】
【技術分野】
【０００１】
本考案は、光コネクタの誤抜防止治具に関するものである。
【背景技術】
【０００２】
光通信に使用される光コネクタには、ＳＣ形光コネクタ（Single fiber Coupling optical fiber connector）、ＦＣ形光コネクタ（Fiber transmission system optical Connector）、ＭＵ形光コネクタ（Miniature-Unit coupling optical fiber connector）等の種々の形式のものがある。
【０００３】
なかでも、ＳＣ形光コネクタは、低損失で高密度実装が可能であるとともに、アダプタに対して差し込むだけでロックされ、引っ張れば簡単に外れるプッシュプル構造を有することから、例えば、ビル内に設置される光成端架において、ビル外部からの光ケーブルとビル内の光ケーブルとを接続するのに広く使用されている（例えば、特許文献１参照）。
【０００４】
ここで、光成端架には、回線の収容規模にもよるが、一般に、多段のトレーが引き出し可能に設けられている。また、各トレーには、多数の光アダプタが保持されており、その各光アダプタを介して、一方の光コネクタと他方の光コネクタとを接続するようにしている。
【０００５】
さらに、各トレーには、線路対向試験等を行う際に使用される測定用コードが配設されている。この測定用コードは、当該トレーに設けられている光アダプタに接続可能な光コネクタを有している。そして、所定の回線に対して試験を行うにあたっては、対応するトレーを光成端架から引き出した状態で、光アダプタを介して試験対象回線に接続されている光コネクタを光アダプタから抜き出して、代わりに測定用コードの光コネクタを接続し、これにより試験対象回線の光コネクタと測定用コードの光コネクタとを光アダプタを介して接続して、所要の試験を行うようにしている。
【先行技術文献】
【特許文献】
【０００６】
【特許文献１】特開２００７−１２１７８４号公報
【考案の概要】
【考案が解決しようとする課題】
【０００７】
しかしながら、上述したＳＣ形光コネクタのようなプッシュプル構造を有する光コネクタは、光アダプタにロックされていても、軽く引っ張るだけで光アダプタから簡単に抜けてしまう。このため、光成端架において所定の回線の試験を行う際に、誤って現用回線の光コネクタを抜いてしまったり、測定用コードを所定の試験対象回線の光アダプタに接続しても、試験中に例えば作業者の手等が現用回線の光コードに引っかかって、現用回線の光コネクタを抜いてしまったりして、多大な損害を与えることが懸念される。
【０００８】
このようなヒューマンエラーによる誤抜を防止する対策として、例えば、光コネクタが光アダプタに接続されている状態で光コネクタを覆うように、光アダプタに対して挿脱可能にコネクタカバーを設けることが考えられる。この防止策によると、光アダプタからコネクタカバーを抜かないと、光コネクタが抜けないので、コネクタカバーを抜く時間分、誤抜に対しての注意を促すことが可能となる。しかし、この防止策では、光アダプタからコネクタカバーを抜く態様によっては、コネクタカバーを抜く際に、コネクタカバーが光コネクタに引っかかって、光コネクタが一緒に抜けてしまうことが想定される。このため、十分な誤抜防止策とはいえない。
【０００９】
また、他の誤抜防止策として、試験に先立って、試験対象回線以外の光アダプタに接続されている光コネクタを、接着テープにより光アダプタに接着して抜けないようにすることが考えられる。この防止策によると、試験対象回線に対応する光コネクタのみが、光アダプタから抜き出し可能となるので、測定用コードを交換接続するに際し、また試験中においても、現用回線の光コネクタが誤抜されるのを防止することが可能となる。しかし、この防止策では、例えば試験終了後に、接着テープを剥がす際の引張力等によって、現用回線の光コネクタが光アダプタから抜かれてしまうことが想定される。このため、やはり十分な誤抜防止策とはいえない。
【００１０】
したがって、かかる点に鑑みてなされた本考案の目的は、光コネクタの光アダプタからの誤脱を確実に防止できる誤抜防止治具を提供することにある。
【課題を解決するための手段】
【００１１】
上記目的を達成する第１の観点に係る考案は、光アダプタに挿抜自在に結合されて相互に接続された第１光コネクタおよび第２光コネクタの前記光アダプタからの誤抜を防止する光コネクタの誤抜防止治具であって、
前記光アダプタを経て前記第１光コネクタおよび前記第２光コネクタに延在する橋部と、
該橋部の一端部に設けられ、前記第１光コネクタに係合して該第１光コネクタの前記光アダプタからの誤抜を防止する切り欠きを有する第１脚部と、
前記橋部の他端部に設けられ、前記第２光コネクタに係合して該第２光コネクタの前記光アダプタからの誤抜を防止する切り欠きを有する第２脚部と、
を備えることを特徴とするものである。
【００１２】
第２の観点に係る考案は、第１の観点に係る光コネクタの誤抜防止治具において、前記橋部の両側に配設された壁部を備えることを特徴とするものである。
【００１３】
第３の観点に係る考案は、第２の観点に係る光コネクタの誤抜防止治具において、前記橋部、前記第１脚部、前記第２脚部、および、前記壁部は、プラスチックの一体成型により形成されていることを特徴とするものである。
【考案の効果】
【００１４】
本考案に係る誤抜防止治具は、第１光コネクタおよび第２光コネクタが光アダプタを介して結合されている状態で、第１脚部の切り欠きが第１光コネクタに係合し、第２脚部の切り欠きが第２光コネクタに係合するように、橋部を光アダプタ上に位置させて使用される。これにより、第１光コネクタあるいは第２光コネクタを光アダプタから抜こうとすると、第１光コネクタおよび第２光コネクタがそれぞれ対応する第１脚部の切り欠きおよび第２脚部の切り欠きに係止されて、第１光コネクタ、第２光コネクタおよび誤抜防止治具の移動が規制され、第１光コネクタおよび第２光コネクタの抜けが確実に防止される。
【図面の簡単な説明】
【００１５】
【図１】本考案の第１実施の形態に係る誤抜防止治具の構成を示す図である。
【図２】図１に示した誤抜防止治具の使用方法を説明するための図である。
【図３】図１に示した誤抜防止治具の具体的な使用態様を説明するための図である。
【図４】本考案の第２実施の形態に係る誤抜防止治具の構成を示す斜視図である。
【図５】本考案に係る誤抜防止治具の変形例を示す斜視図である。
【図６】本考案に係る誤抜防止治具の他の変形例を示す斜視図である。
【考案を実施するための形態】
【００１６】
以下、本考案の実施の形態について、図を参照して説明する。
【００１７】
（第１実施の形態）
図１（ａ）〜（ｅ）は、本考案の第１実施の形態に係る誤抜防止治具の構成を示す図で、（ａ）は正面図、（ｂ）は平面図、（ｃ）は右側面図、（ｄ）は（ａ）のｄ−ｄ線断面図、（ｅ）は斜視図である。この誤抜防止治具１は、例えば、アルミニウム等の金属により形成されたもので、長尺の橋部２と、その一端部に橋部２に対してほぼ９０度折り曲げて形成された第１脚部３と、他端部に第１脚部３と同様に折り曲げて形成された第２脚部４とを有する。第１脚部３には、その下端から橋部２の折り曲げ部に向けて切り欠き３ａが形成されている。同様に、第２脚部４には、その下端から橋部２の折り曲げ部に向けて切り欠き４ａが形成されている。
【００１８】
切り欠き３ａ，４ａは、その開口幅が、誤抜を防止する光コネクタの所定の部分に係合するサイズとなっている。ここで、切り欠き３ａ，４ａが係合する光コネクタの所定の部分とは、例えば、後述するように、光アダプタへの結合部を有するプラグ部の後端部に光コードを被覆するように設けられているブーツ部分である。このブーツ部分は、光コードの光軸と直交する断面の投影面積が、プラグ部における光軸と直交する断面の投影面積よりも小さくなっている。
【００１９】
また、橋部２の内側には、壁形成部材５が接合されている。壁形成部材５には、橋部２の両端部側において、橋部２の両側に位置するようにそれぞれ壁部６ａ，６ｂ、７ａ，７ｂが形成されている。これら壁部６ａ，６ｂ、７ａ，７ｂは、第１脚部３および第２脚部５とほぼ同じ高さ寸法を有している。なお、橋部２の外表面は、好ましくは、接続回線等の識別情報等を記載可能とする。
【００２０】
図２（ａ）および（ｂ）は、図１に示した誤抜防止治具１の使用方法を説明するための図である。図２（ａ）において、第１光コネクタ１１は、プラグ部１２の先端部が、光アダプタ１３の一方の挿入部に挿入されて、光アダプタ１３に結合されている。同様に、第２光コネクタ１５は、プラグ部１６の先端部が光アダプタ１３の他方の挿入部に挿入されて、光アダプタ１３に結合されている。これにより、第１光コネクタ１１および第２光コネクタ１５は、光アダプタ１３を介して光学的に接続されている。なお、第１光コネクタ１１のプラグ部１２の後端部には、当該プラグ部１２に接続された光コード２１を被覆するようにブーツ部２２が設けられている。同様に、第２光コネクタ１５のプラグ部１６の後端部には、当該プラグ部１６に接続された光コード２３を被覆するようにブーツ部２４が設けられている。
【００２１】
誤抜防止治具１は、図２（ａ）に示したように、第１光コネクタ１１および第２光コネクタ１５が光アダプタ１３を介して接続されている状態で、壁部６ａ，６ｂまたは壁部７ａ，７ｂを把持して、第１脚部３の切り欠き３ａが第１光コネクタ１１のブーツ部２２に係合し、第２脚部４の切り欠き４ａが第２光コネクタ１５のブーツ部２４に係合するように、図２（ｂ）に示すように、橋部２を光アダプタ１３上に位置させて装着される。また、誤抜防止治具１を光アダプタ１３から取り外す際は、第１光コネクタ１１や第２光コネクタ１５を掴むことなく、同様に、壁部６ａ，６ｂまたは壁部７ａ，７ｂを把持して取り外すことができる。
【００２２】
なお、第１光コネクタ１１および第２光コネクタ１５は、通常、同一種類の光コネクタ、例えばＳＣ形光コネクタである。したがって、この場合、誤抜防止治具１の第１脚部３および第２脚部４は、ほぼ同一形状に形成される。
【００２３】
図３は、図１に示した誤抜防止治具１の具体的な使用態様を説明するための図である。図３に示す使用態様は、光成端架において、所定の回線に対して試験を行う場合を例示したものである。この場合は、試験対象回線が接続されている光アダプタ３１を除く光アダプタに対して、図２（ｂ）に示したように誤抜防止治具１を装着する。そして、試験対象回線が接続されている光アダプタ３１に対して、測定用コード３２が接続された光コネクタ３３を交換接続し、これにより試験対象回線の光コネクタ３４と測定用コード３２が接続された光コネクタ３３とを光アダプタ３１を介して接続して、所要の試験を行う。
【００２４】
このように、試験対象回線以外の光コネクタが接続されている光アダプタに対して誤抜防止治具１を装着すれば、図２（ｂ）において、第１光コネクタ１１あるいは第２光コネクタ１５を光アダプタ１３から抜こうとすると、第１光コネクタ１１のブーツ部２２あるいはプラグ部１２の後端面が第１脚部３の切り欠き３ａに係止され、第２光コネクタ１５のブーツ部２４あるいはプラグ部１６の後端面が第２脚部４の切り欠き４ａに係止される。これにより、第１光コネクタ１１、第２光コネクタ１５および誤抜防止治具１の移動が規制されるので、第１光コネクタ１１および第２光コネクタ１５が、ＳＣ形光コネクタのように抜け易いプッシュプル構造を有する場合でも、光アダプタ１３からの誤抜を確実に防止することができる。
【００２５】
また、橋部２の両側には、第１光コネクタ１１のプラグ部１２の両側に位置するように壁部６ａ，６ｂが設けられているとともに、第２光コネクタ１５のプラグ部１６の両側に位置するように壁部７ａ，７ｂが設けられている。したがって、誤抜防止治具１を所望の光アダプタ１３に対して着脱する際は、壁６ａ，６ｂまたは壁部７ａ，７ｂを把持することで、第１光コネクタ１１や第２光コネクタ１５に接触することなく行うことができる。これにより、誤抜防止治具１の着脱の際の誤抜も確実に防止することができる。しかも、誤抜防止治具１は、光アダプタ１３の上方から、第１脚部３の切り欠き３ａを第１光コネクタ１１のブーツ部２２に係合させ、第２脚部４の切り欠き４ａを第２光コネクタ１５のブーツ部２４に係合させるように装着すればよいので、他の回線に触れることなく容易に着脱することが可能となる。
【００２６】
また、誤抜防止治具１の装着状態において、誤抜防止治具１が長手方向を軸に回動して傾こうとすると、壁部６ａ，６ｂが第１光コネクタ１１の両側面部に接し、壁部７ａ，７ｂが第２光コネクタ１５の両側面部に接することになる。これにより、誤抜防止治具１の回動が規制されて誤抜防止治具１の転倒が防止されるので、第１脚部３および第２脚部４と、第１光コネクタ１１および第２光コネクタ１５との係合が外れることがなく、より安定して誤抜を防止することができる。
【００２７】
（第２実施の形態）
図４は、本考案の第２実施の形態に係る誤抜防止治具の構成を示す斜視図である。この誤抜防止治具４１は、図１に示した、橋部２、第１脚部３、第２脚部４、壁部６ａ，６ｂ，７ａ，７ｂ（７ｂは図示せず）を、プラスチックの一体成型により形成したものである。
【００２８】
このように、誤抜防止治具４１をプラスチックの一体成型で形成すれば、金属で形成する場合に比べて、コストダウンが図れる利点がある。
【００２９】
なお、本考案は、上記実施の形態に限定されるものではなく、種々の変形が可能である。例えば、光アダプタが上下に複数段設置されている場合は、図５に示すように、第１脚部３および第２脚部４を、複数段の光コネクタに係合するように形成して、複数段の光アダプタにそれぞれ接続されている光コネクタの誤抜を防止することもできる。なお、図５に示す誤抜防止治具４２は、上下２段の光アダプタ１３に接続されている光コネクタの誤抜を防止する場合を例示している。また、図３に示したように、光アダプタが水平に複数配列されている場合は、図6に示すように、第１脚部３および第２脚部４を、隣接する複数列の光アダプタにそれぞれ接続されている光コネクタに係合するように形成して、複数列の光アダプタにそれぞれ接続されている光コネクタの誤抜を防止することもできる。なお、図６に示す誤抜防止治具４３は、水平２列の光アダプタ１３に接続されている光コネクタの誤抜を防止する場合を例示している。
【００３０】
また、上記実施の形態では、橋部２の両端部側において、橋部２の両側に位置するようにそれぞれ壁部６ａ，６ｂ、７ａ，７ｂを設けたが、光アダプタの構造によっては、両側の壁部を橋部２とほぼ同じ長さに形成して、誤抜防止治具を箱状に形成してもよい。また、壁部は、省略してもよいし、光コネクタを掴めないように橋部２の一方の側にのみ形成したり、図１または図４において、対角線にのみ、すなわち、壁部６ａ，７ｂあるいは壁部６ｂ，７ａのみを形成したりしてもよい。
【符号の説明】
【００３１】
１，４１〜４３  誤抜防止治具
２  橋部
３  第１脚部
４  第２脚部
３ａ，４ａ  切り欠き
６ａ，６ｂ、７ａ，７ｂ  壁部
１１  第１光コネクタ
１５  第２光コネクタ
１２，１６  プラグ部
１３  光アダプタ
２１，２３  光コード
２２，２４  ブーツ部
【図１】
0003157159.tif 000003
【図２】
0003157159.tif 000004
【図３】
0003157159.tif 000005
【図４】
0003157159.tif 000006
【図５】
0003157159.tif 000007
【図６】
0003157159.tif 000008